(57)【要約】【課題】ケーブルクランプの締め付け作業が容易なモータ用の端子箱を提供することを目的とする。【解決手段】モータフレーム２に取り付けられ、側面Ｓ１に外部からの電源線１８を引き込むための開口部２１を有する端子箱本体９と、開口部２１に設けられるケーブルクランプ２２と、を備える端子箱７であって、開口部２１は、側面Ｓ１の中心Ｃ１を通り、モータフレーム２と端子箱本体９との取り付け面Ｓ２と側面Ｓ１とに垂直な仮想平面Ｓ３から上側にずれた位置に設けられている。開口部２１が仮想平面Ｓ３からずれた位置に設けられているため、ケーブルクランプ２２を締め付ける際に、スパナやプライヤー等の工具の先端が届き易くなる。【選択図】  図２
2020150663.tif 000002
【特許請求の範囲】
【請求項１】
モータのフレームに取り付けられ、側面に外部から電源線を引き込むための開口部を有する端子箱本体と、
前記開口部に設けられるケーブルクランプと、
を備える端子箱であって、
前記開口部は、前記側面の中心を通り、前記フレームと前記端子箱本体との取り付け面と、前記側面とに垂直な仮想平面からずれた位置に設けられている
ことを特徴とする端子箱。
【請求項２】
前記開口部は、前記モータの軸心と平行な方向に開口しており、前記仮想平面からずれた位置に設けられている
ことを特徴とする請求項１に記載の端子箱。
【請求項３】
前記開口部は、前記モータの設置状態において前記モータの軸心よりも上側に設けられている
ことを特徴とする請求項１または２に記載の端子箱。
【請求項４】
前記開口部の数は１個であることを特徴とする請求項１から３のいずれか１項に記載の端子箱。
【請求項５】
前記端子箱の内部に設けられた接地端子を備え、
前記接地端子は、前記仮想平面に対して、前記開口部と同じ側に設けられている
ことを特徴とする請求項１から４のいずれか１項に記載の端子箱。
【発明の詳細な説明】
【技術分野】
【０００１】
本発明は、ケーブルクランプの締め付け作業が容易なモータ用の端子箱に関する。
【背景技術】
【０００２】
従来、特許文献１には、端子箱本体と、端子箱内に配置された端子台と、端子箱本体の側面の中央の１箇所に外部の電源線を導入するための口金（ケーブルクランプ）とを備え、モータの枠体に４箇所のボルトで固定されるモータ用の端子箱が開示されている。この端子箱によれば、端子台の端子金具が電源線の引き込み方向に対して左右両側に平行に配置されているため、引き込まれた電源線と各端子金具の距離がより均一となり、各々の電源線の長さが均一になり配線作業が容易となる。
【先行技術文献】
【特許文献】
【０００３】
【特許文献１】特開２００５−１１０４５９号公報
【発明の概要】
【発明が解決しようとする課題】
【０００４】
しかしながら、特許文献１に記載されたようなモータ用の端子箱は、端子箱の防水性を確保するため、ケーブルクランプをプライヤーやスパナ等の工具によって締め付けることがあるが、ケーブルクランプが端子箱の側面の中央に配置されているために、工具の先端がケーブルクランプまで届き難いという問題がある。
【０００５】
本発明は、上述した問題点を解決するためになされたものであり、ケーブルクランプの締め付け作業が容易になる端子箱を提供することを目的とする。
【課題を解決するための手段】
【０００６】
この目的を達成するために、請求項１記載の端子箱は、モータのフレームに取り付けられ、側面に外部から電源線を引き込むための開口部を有する端子箱本体と、前記開口部に設けられるケーブルクランプと、を備える端子箱であって、前記開口部は、前記側面の中心を通り、前記フレームと前記端子箱本体との取り付け面と、前記側面とに垂直な仮想平面からずれた位置に設けられていることを特徴とするものである。
【０００７】
また、請求項２記載の端子箱は、請求項１に記載の端子箱であって、更に、前記開口部は、前記モータの軸心と平行な方向に開口しており、前記仮想平面からずれた位置に設けられていることを特徴とするものである。
【０００８】
また、請求項３記載の端子箱は、請求項１または２に記載の端子箱であって、更に、前記開口部は、前記モータの設置状態において前記モータの軸心よりも上側に設けられていることを特徴とするものである。
【０００９】
また、請求項４記載の端子箱は、請求項１から３のいずれか１項に記載の端子箱であって、更に、前記開口部の数は１個であることを特徴とするものである。
【００１０】
また、請求項５記載の端子箱は、請求項１から４のいずれか１項に記載の端子箱であって、更に、前記端子箱の内部に設けられた接地端子を備え、前記接地端子は、前記仮想平面に対して、前記開口部と同じ側に設けられていることを特徴とするものである。
【発明の効果】
【００１１】
請求項１記載の端子箱によれば、端子箱本体に設けられた開口部は、モータフレームと端子箱本体との取り付け面と、端子箱本体の側面とに垂直で、側面の中心を通る仮想平面に対してずれた位置に設けられているため、ケーブルクランプをスパナやプライヤー等の工具で締め付ける際に工具の先端が届き易く、作業が簡単になる。
【００１２】
また、請求項２記載の端子箱によれば、端子箱はモータのフレームに対して開口部がモータの軸心と平行な方向に開口するように設けられているため、ケーブルクランプとモータのフレームの表面との間の距離が近くなるが、開口部が端子箱の側面の中心ではなく、仮想平面からずれた位置に設けられているため、ケーブルクランプをスパナやプライヤー等の工具で締め付ける際に工具の先端が届き易く、作業が簡単になる。
【００１３】
また、請求項３記載の端子箱によれば、開口部は、モータの設置状態においてモータの軸心よりも上側にずれた位置に設けられている。このため、モータの設置状態において上側からスパナやプライヤー等の工具の先端が届き易く、ケーブルクランプを締め付ける作業がより簡単になる。
【００１４】
また、請求項４記載の端子箱によれば、開口部の数は１つであるため、ケーブルクランプの数も１つである。このため、ケーブルクランプを締め付ける作業の際に作業の妨げになる部分がなく、作業がより簡単になる。
【００１５】
また、請求項５記載の端子箱によれば、アース接続用の接地端子は、仮想平面に対して、開口部と同じ方向にずれた位置に設けられている。このため、ケーブルクランプから接地端子までの距離が近くなり、接地線に余裕ができる。仮に電源線に過度な引っ張り力が加わった場合であっても、接地線に対しては引っ張り力が加わり難いため、より安全である。
【図面の簡単な説明】
【００１６】
【図１】第１実施形態における端子箱を備えたモータの正面図である。
【図２】第１実施形態における端子箱を備えたモータの右側面図である。
【図３】第２実施形態における端子箱を備えたモータの正面図である。
【図４】第２実施形態における端子箱を備えたモータの右側面図である。
【発明を実施するための形態】
【００１７】
［第１実施形態］
以下、本発明の第１実施形態について図面を参照して説明する。図１は、第１実施形態における端子箱７を備えたモータ１Ａの正面図であり、端子箱７の蓋を取り外した状態を示している。図２は、第１実施形態における端子箱７を備えたモータ１Ａの右側面図であり、ファンカバー６側から見た状態を示している。
【００１８】
モータ１Ａは、円筒状のモータフレーム２と、モータフレーム２の軸方向の負荷側（図１の左側）にギアブラケット３を介して接続されるギアヘッド４と、モータフレーム２の反負荷側（図１の右側）にモータブラケット５を介して接続されるファンカバー６と、モータフレーム２の表面に取り付けられる端子箱７とを備えている。
【００１９】
モータフレーム２の内部には、図示しないステータとロータとからなるモータが収容され、ロータに結合されたモータ軸が、ギアブラケット３とモータブラケット５とにそれぞれ保持された軸受を介して軸心Ｃ０を中心として回転可能に支持されている。負荷側に突出するモータ軸の端部は、ギアヘッド４内に設けられた図示しない減速機構の入力側と噛合し、減速機構の出力軸８はギアヘッド４から突出している。ファンカバー６内には図示しないファンがモータ軸と一体に回転可能に設けられている。
【００２０】
モータフレーム２の表面には、端子箱本体９と、端子箱本体９の内部に配置された端子台１０とから成る端子箱７が取り付けられている。端子箱本体９は、アルミニウム合金製であり、底の中央部に角取り矩形状の開口部１１が形成された箱状であって、底の各角部に貫通孔が形成され、該貫通孔を介して４本のネジ１２によりモータフレーム２の表面に取り付けられている。また、端子箱本体９の上面の各角部には、蓋用のネジ穴１３が４箇所形成され、該ネジ穴１３には図示されない蓋がネジ止め可能である。
【００２１】
端子箱本体９の内部には端子台１０が設置され、端子台１０は開口部１１を通過してモータフレーム２の表面に直接固定されている。端子台１０のベースは樹脂製であり、３個の金属製のスタッド端子１４を備えている。スタッド端子１４には、ステータと電気的に接続されるリード線１５が接続される。各リード線１５は、ゴムブッシュ１６を介してモータフレーム２から引き出されている。各リード線１５の先端部には、丸形の圧着端子１７が圧着されており、圧着端子１７を２個のナットで挟むことで、リード線１５がスタッド端子１４と電気的に接続される。以上のように各リード線１５と接続されたスタッド端子１４に対し、ステータに電力を供給する外部からの電源線１８が、適時同様に接続されるが、図１では電源線１８とスタッド端子１４との接続は省略している。
【００２２】
端子箱本体９における反負荷側（図１の右側）の側面Ｓ１には、外部からの電源線１８を通すための開口部２１が１箇所設けられ、該開口部２１には、電源線１８を固定するための防水型のケーブルクランプ２２（またはキャプコンと呼ばれることもある）が配置されている。開口部２１は、モータフレーム２と端子箱本体９との取り付け面Ｓ２と側面Ｓ１とに垂直で、側面Ｓ１の中心Ｃ１を通る仮想平面Ｓ３に対して、上方向にずれた位置に設けられている。また、開口部２１は、モータの軸心Ｃ０と平行で、モータの軸心Ｃ０よりも上側にずれた位置に設けられている。ケーブルクランプ２２をスパナやプライヤー等の工具で締め付けることで、電源線１８が固定されると同時に、端子箱７の防水性も確保される。
【００２３】
端子箱本体９の内周面には、アース接続用の接地端子２３が設けられる。接地端子２３は、モータフレーム２と端子箱本体９との取り付け面Ｓ２と側面Ｓ１とに垂直で、側面Ｓ１の中心Ｃ１を通る仮想平面Ｓ３に対して、上方向（ケーブルクランプ２２と同方向）にずれた位置に設けられている。
【００２４】
このように、上記形態の端子箱７を備えたモータ１Ａによれば、端子箱本体９に設けられた開口部２１は、側面Ｓ１の中心には設けられておらず、モータフレーム２と端子箱本体９との取り付け面Ｓ２と側面Ｓ１とに垂直で、側面Ｓ１の中心Ｃ１を通る仮想平面Ｓ３に対してずれた位置に設けられているため、ケーブルクランプ２２をスパナやプライヤー等の工具で締め付ける際に工具の先端が届き易く、作業が簡単になる。
【００２５】
また、円筒状のモータフレーム２に対して、開口部２１はモータの軸心Ｃ０と平行に設けられているため、ケーブルクランプ２２とモータフレーム２の表面との間の距離が近くなるが、開口部２１が側面Ｓ１の中心ではなくずれた位置に設けられているため、ケーブルクランプ２２をスパナやプライヤー等の工具で締め付ける際に工具の先端が届き易く、作業が簡単になる。
【００２６】
また、開口部２１は、モータの軸心Ｃ０よりも上側にずれた位置に設けられている。このため、モータの設置状態で上側からスパナやプライヤー等の工具の先端が届き易く、ケーブルクランプ２２を締め付ける作業がより簡単になる。
【００２７】
また、開口部２１の数は１つであるため、ケーブルクランプ２２の数も１つである。このため、ケーブルクランプ２２を締め付ける作業の際に作業の妨げになる部分がなく、作業がより簡単になる。
【００２８】
また、アース接続用の接地端子２３は、モータフレーム２と端子箱本体９との取り付け面Ｓ２と側面Ｓ１とに垂直で、側面Ｓ１の中心Ｃ１を通る仮想平面Ｓ３に対して、上方向（ケーブルクランプ２２と同方向）にずれた位置に設けられている。このため、ケーブルクランプ２２から接地端子２３までの距離が近くなり、接地線に余裕ができる。仮に電源線８に過度な引っ張り力が加わった場合であっても、接地線には引っ張り力が加わり難いため、より安全である。
【００２９】
［第２実施形態］
次に、本発明の第２実施形態について図３及び図４を参照して説明する。図３は、第２実施形態における端子箱７を備えたモータ１Ｂの正面図であり、図１に対応する図面である。図４は、第２実施形態における端子箱７を備えたモータ１Ｂの右側面図であり、ギアヘッド４側から見た状態を示している。第２実施形態におけるモータ１Ｂの構造は、端子箱７に設けられる開口部２１の向きが、第１実施形態におけるモータ１Ａとは異なる。上記を除くモータ１Ｂの構成については、上述の第１実施形態と同様なので、詳細な説明は省略する。
【００３０】
端子箱本体９における負荷側（図３の右側）の側面Ｓ１には、外部からの電源線１８を通すための開口部２１が１箇所設けられ、該開口部２１には、電源線１８を固定するための防水型のケーブルクランプ２２が配置されている。開口部２１は、モータフレーム２と端子箱本体９との取り付け面Ｓ２と側面Ｓ１とに垂直で側面Ｓ１の中心Ｃ１を通る仮想平面Ｓ３に対して、上方向にずれた位置に設けられている。また、開口部２１は、モータの軸心Ｃ０と平行で、モータの軸心Ｃ０よりも上側にずれた位置に設けられている。ケーブルクランプ２２をスパナやプライヤー等の工具で締め付けることで、電源線１８が固定されると同時に、端子箱７の防水性も確保される。第２実施形態においても、第１実施形態と同様の効果を得る。
【符号の説明】
【００３１】
１Ａ，１Ｂ  モータ
２  モータフレーム
７  端子箱
９  端子箱本体
１８  電源線
２１  開口部
２２  ケーブルクランプ
２３  接地端子
Ｃ０  軸心
Ｃ１  側面の中心
Ｓ１  側面
Ｓ２  取り付け面
Ｓ３  仮想平面
【図１】
2020150663.tif 000003
【図２】
2020150663.tif 000004
【図３】
2020150663.tif 000005
【図４】
2020150663.tif 000006